(57)【要約】      （修正有）【課題】塵取本体の上部に集めた塵等が周囲に零れたり飛び散ったりすることなく、又塵取底板上の前部にまで溜められ、収集量が多い塵取を提供する。【解決手段】前縁部を掃き入れ部とする塵取底板と、塵取底板の掃き入れ部を除く周縁  部位から立ち上げた側壁部とを備えた塵取に、先端部が塵取底板の掃き入れ前縁部を上方から仕切り、後端を側壁部に回動可能に軸支した仕切りカバーで構成する。更に、塵取底板の前縁部が床や地面に沿うようにピッタリ屈撓するよう上塵取底板の前縁掃き入れ部を可撓性部材としする。仕切りカバー付き塵取が落ち葉などで満杯になった時には、仕切りカバーを回動して、仕切りカバーの先端部が前記塵取底板の掃き入れ前縁部を上方から仕切ることにより、掃き入れた塵が周囲に飛散することを防止する。【選択図】図１
0003143775.tif 000002
【実用新案登録請求の範囲】
【請求項１】
前縁部を掃き入れ部とする塵取底板と、同塵取底板の前記掃き入れ部を除く周縁部位から立ち上げた側壁部とを備える塵取に、先端部が前記塵取底板の掃き入れ前縁部を上方から仕切り、後端部を上記側壁部に回動可能に軸支した仕切りカバーを具備したことを特徴とする仕切りカバー付き塵取。
【請求項２】
上記塵取底板の前縁掃き入れ部を可撓性部材としたことを特徴とする請求項１に記載の仕切りカバー付き塵取。
【請求項３】
ワッシャーとリベットを介在して上記側壁部に回動可能に軸支した仕切りカバーを取付けたことを特徴とする請求項１と請求項２に記載の仕切りカバー付き塵取。
【考案の詳細な説明】
【技術分野】
【０００１】本考案は、塵取のカバーを装着した仕切りカバー付き塵取に関する。
【背景技術】
【０００２】一般に、三つ手塵取は、塵等を収容保持する本体部と、この本体部から延出する柄とを有する。本体部は、前縁部を掃き入れ部とした塵取底板と、掃き入れ部を除く塵取底板の周縁部から所定高さ立ち上げた両側壁部及び後壁部とを備えている。また、柄は、両側壁部の前端から上方に向かって延びる左右一対の側部ステーと、後壁部の中央から上方に向かって延びる後部ステーとを有し、それらの上端が連結された形態を有している。【０００３】清掃作業は、上記柄の上部を把持して、本体部にその塵取底板の前縁部が床や地面に沿うようにし、ほうき等によって床や地面に集めた塵等を塵取底板前縁部に掃き入れて、掃き入れられた塵等は、塵取底板上の後部に溜めている。
【考案の開示】
【考案が解決しょうとする課題】
【０００４】ところが、従来から提供されている三つ手塵取の本体部は、上方及び塵取底板上の前部が開放しており、従って、屋外での清掃等においては、風や塵取本体の揺れなどにより、せっかく本体部上に集めた塵等が周囲に零れたり、塵の収集量が制限されるために、塵等は塵取底板上の前部にまでは溜められない不具合があった。
【０００５】本考案は、このような事情のもとで考案したもので、従来の構成の本体部を有する塵取を、簡便かつ安価にして本体部に塵止めのカバーを装着した塵取を提供可能にする。
【課題を解決するための手段】
【０００６】本考案は上記目的を達成するために、前縁部を掃き入れ部とする塵取底板と、同塵取底板の前記掃き入れ部を除く周縁  部位から立ち上げた側壁部とを備える塵取に、先端部が前記塵取底板の掃き入れ前縁部を上方から仕切り、後端を上記側壁部に回動可能に軸支した仕切りカバーを具備したことを特徴とする仕切りカバー付き塵取で、仕切りカバーを塵取に取り付け、仕切りカバーを回動調整することにより、塵取の本体部上に集めた塵等が周囲に飛び散ることもなくなり、塵等は塵取底板上の全面部にまで多量の塵を溜めることが可能になった。
【０００７】更に、上記塵取底板の前縁掃き入れ部を可撓性部材としたので、その塵取底板の前縁部が床や地面に沿うように密着屈撓するので、従って、仕切りカバー付き塵取が落ち葉などで満杯になった時には、仕切りカバーを回動して、仕切りカバーの先端部が前記塵取底板の掃き入れ前縁部を上方から仕切ることにより、掃き入れた塵が周囲に零れたり、飛散することを防止することができ、仕切りカバー無しの時の２〜３倍の量の塵を掃き入れることができた。
【０００８】更に本考察は、上記塵取底板の前縁掃き入れ部を可撓性部材としたことにより、前縁部を掃き入れ部とする塵取底板に、落葉などに比べて細かい砂や土、小石等が堆積したフラットでない排水路等の底部に、把持した方の手で塵取本体を上方から、軽く加圧し、塵取底板前縁部３ａが撓み仕切りカバー付塵取の塵取底部３の掃き入れ部を密着させ、ほうき等によって床や地面等に集めた塵等が塵取底板前縁部の下部から逃げなくなり、確実により多量の砂や土、小石等の堆積物を仕切りカバー付塵取に掻き込むことができた。
【０００９】また、落ち葉など、比較的軽い塵について、本考案の作用について説明すると、このように構成することにより、掃き入れた塵を、本体の塵取底板、側壁部およびカバーで囲まれる空間に多量の塵を収容することができ、カバーが塵止・風防カバーとして機能し、屋外の清掃においても、掃き入れた塵が塵取本体の揺れ等で零れたり、風によって周囲に飛散するといった事態を防止することができた。
加えて、本考案は、ワッシャーを介在して上記側壁部に回動可能に軸支した仕切りカバー側に取付けたので、仕切りカバーの開閉が滑らかになった。
【００１０】このように構成することにより、塵取本体部のみの場合よりも、より多量の塵を収容できる空間を増大することができた。
【考案の効果】
【００１１】上記した本考案によれば、塵取の前縁部を掃き入れ部とする塵取底板と、この塵取底板の周縁における上記掃き入れ部を除く部位から立ち上げた側壁部とを備える塵取本体部に装着される仕切りカバーであって、この仕切りカバーは、塵取底板の上方前部を覆うことを特徴としているので、仕切りカバーを回動調整することにより、風や塵取本体の揺れなどにより、塵取の本体部上に集めた塵等が周囲に零れたり、飛び散ることもなくなり、塵等は塵取底板上の全面部にまで安定して多量の塵を溜めることが可能になった。
従来の構成の塵取本体を有する塵取を、簡便かつ安価にして塵取本体構成の塵取に変更することができる仕切りカバー付き塵取を提供できた。
【００１２】更に本考察は、上記塵取底板の前縁掃き入れ部を可撓性部材としたことにより、前縁部を掃き入れ部とする塵取底板に、落葉などに比べて細かい砂や土、小石等が堆積したフラットでない排水路等の底部に、把持した方の手で塵取本体を上方から、軽く加圧し、塵取底板前縁部３ａが撓み仕切りカバー付塵取の塵取底部３の掃き入れ部を密着させ、ほうき等によって床や地面等に集めた塵等が塵取底板前縁部の下部から逃げなくなり、確実により多量の砂や土、小石等の堆積物を仕切りカバー付塵取に掻き込むことができた。また、ワッシャーを介在して側壁部に回動可能に軸支した仕切りカバーを取付けたので、仕切りカバーの開閉がリベットのみの場合より、滑らかに回動できた。
【考案を実施するための最良の形態】以下、本願考案の好ましい実施の形態につき、図面を参照し具体的に説明する。
【実施例】
【００１３】図１は、三つ手塵取の本体部に本願考案に係る仕切りカバー４を装着した状態を示す。三つ手塵取は、前述したように、ちりを収容保持する塵取本体１と、この本体部から延出する柄とを有する。塵取本体１は、前縁部３ａを掃き入れ部とした塵取底板３と、上記掃き入れ部を除く塵取底板３の周縁部から所定の高さに立ち上げた両側壁部及び後壁部とを備えている。また、把持柄７は、両側壁部の前端から上方に向かって延びる左右一対の側部ステー２ｂと、後壁部の中央から上方に向かって延びる後部ステー２ｃとを有し、それらの上端が連結されている。
本実施例では、仕切りカバー４を塵取側板２の軸支部２ａに取付ける際に、両側板２壁部の中央から上方に向かって延びる左右一対の側部ステー２ｂと一体的に、夫々１本のビスやリベット５とワッシャー６を介して回動可能に取り付けた。【００１４】図２ａは、本考案に係る仕切りカバー４を塵取本体１に装着した他実施例を示す図で、塵を塵取本体１に掃き入れるために、仕切りカバー４を全開した状況を示している。【００１５】図２ｂは、図２ａに図示の仕切りカバー４を半開きにした状態を示す図で、せっかく塵取本体１に掃き入れた落ち葉など、風によって周囲に飛散するといった事態を防止するために、仕切りカバー４を半開にした状況を示している。【００１６】図２ｃは、図２ａに図示の仕切りカバー先端部４ａが塵取底板３の掃き入れ前縁部３ａを閉じた状態を示す図で、塵取本体１に掃き入れた多量の塵が塵取本体１の揺れ等で零れたり、周囲に飛散するといった事態を防止するために、仕切りカバー４を全閉にした状況を示している。
図３ａ，図３ｂは、リベット（ビス）５とワッシャー６を介して塵取側板２に仕切りカバー後端部４ｂを回動可能に取付けた仕切りカバー軸支部４ｃを示している。
図示を省略したが、塵取本体１に掃き入れた多量の塵が塵取本体の揺れ等で零れたり、周囲に飛散するといった事態を防止するために、塵取側板の軸支部２ａ近傍の塵取側板２を高くすると更に、多量の塵を収納することが出来た。
【産業上の利用分野】
【００１７】本考案に係る仕切りカバー付き塵取は、家庭用のみならず、会社や工場内、若しくは排水路等の溝掃除などにも容易に用いることが可能となった。
【図面の簡単な説明】
【００１８】
【図１】本考案に係る三つ手塵取に仕切りカバーを装着した実施例を示す図である。
【図２ａ】本考案に係る仕切りカバーを装着した他実施例を示す図である。
【図２ｂ】図２ａに図示の仕切りカバーを半開きにした状態を示す図である。
【図２ｃ】仕切りカバー先端部が塵取底板掃入れ前縁部を閉じた状態図である。
【図３ａ】仕切りカバーをリベットとワッシャーを介して塵取側板に回動可能に取付けた仕切りカバー軸支部の平面図である。
【図３ｂ】［図３ａ］の断面図である。
【符号の説明】
【００１９】１    塵取本体
２    塵取側板、
２ａ  塵取側板の軸支部、２ｂ  塵取側板の側部ステー、２ｃ  塵取側板の後部ステー
３    塵取塵取底板３
３ａ  塵取塵取底板３の前縁部（掃き入れ部）
４    仕切りカバー
４ａ  仕切りカバー先端部、４ｂ  仕切りカバー後端部、４ｃ  仕切りカバー軸支部
５    ビス（リベット）
６    ワッシャー
７    把持柄
【図１】
0003143775.tif 000003
【図２ａ】
0003143775.tif 000004
【図２ｂ】
0003143775.tif 000005
【図２ｃ】
0003143775.tif 000006
【図３ａ】
0003143775.tif 000007
【図３ｂ】
0003143775.tif 000008